(57)【要約】【課題】  通信方法において、例えばＰＯＮ（Ｐａｓｓｉｖｅ Ｏｐｔｉｃａｌ Ｎｅｔｗｏｒｋ）システムに符号誤り訂正技術を適用する場合に、局側通信装置と加入者側通信装置との接続距離に応じて、伝送効率を最適化することを目的としている。【解決手段】  通信方法において、加入者側通信装置と局側通信装置との間の往復伝播遅延に基づいて、前記加入者側通信装置と前記局側通信装置との間の通信データに付加される符号誤り訂正符号における冗長度を前記加入者側通信装置毎に制御する冗長度制御工程を備える。【選択図】  図１
2006014228.tif 000002
【特許請求の範囲】
【請求項１】
加入者側通信装置と局側通信装置との間の往復伝播遅延に基づいて、前記加入者側通信装置と前記局側通信装置との間の通信データに付加される符号誤り訂正符号における冗長度を前記加入者側通信装置毎に制御する冗長度制御工程を備えることを特徴とする通信方法。
【請求項２】
前記往復伝播遅延に基づいて、前記加入者側通信装置と前記局側通信装置との間の通信速度を前記加入者側通信装置毎に制御する通信速度制御工程を備えることを特徴とする請求項１に記載の通信方法。
【請求項３】
加入者側通信装置と局側通信装置との間の往復伝播遅延に基づいて、前記加入者側通信装置と前記局側通信装置との間の通信データに付加される符号誤り訂正符号における冗長度を前記加入者側通信装置毎に制御する冗長度制御部を備えることを特徴とする通信方式。
【請求項４】
前記往復伝播遅延に基づいて、前記加入者側通信装置と前記局側通信装置との間の通信速度を前記加入者側通信装置毎に制御する通信速度制御部を備えることを特徴とする請求項３に記載の通信方式。
【請求項５】
加入者側通信装置と局側通信装置との間の往復伝播遅延に基づいて、前記加入者側通信装置との間の通信データに付加される符号誤り訂正符号における冗長度を前記加入者側通信装置毎に制御する冗長度制御部を備えることを特徴とする局側通信装置。
【請求項６】
加入者側通信装置と局側通信装置との間の往復伝播遅延に基づいて、前記局側通信装置との間の通信データに付加される符号誤り訂正符号における冗長度を前記加入者側通信装置毎に制御する冗長度制御部を備えることを特徴とする加入者側通信装置。
【発明の詳細な説明】
【技術分野】
【０００１】
この発明は、加入者側通信装置と局側通信装置が接続される通信システムにおける符号誤り訂正技術に関するものである。
【背景技術】
【０００２】
マルチメディアサービスを各家庭まで伝送する従来のアクセス系ネットワークとして、ＰＯＮ（Ｐａｓｓｉｖｅ  Ｏｐｔｉｃａｌ  Ｎｅｔｗｏｒｋ）システムが知られている（例えば非特許文献１参照）。このＰＯＮシステムは、複数の加入者側通信装置（ＯＮＵ：Ｏｐｔｉｃａｌ  Ｎｅｔｗｏｒｋ  Ｕｎｉｔ）と局側通信装置（ＯＬＴ：Ｏｐｔｉｃａｌ  Ｌｉｎｅ  Ｔｅｒｍｉｎａｌ）がスターカプラを介して光ファイバケーブルで接続されるものであり、複数のＯＮＵが単一のＯＬＴを共有するため、経済的である。
一方、ＦＥＣ（Ｆｏｒｗａｒｄ  Ｅｒｒｏｒ  Ｃｏｒｒｅｃｔｉｏｎ）等のエラー処理により、高品質なデータ再生を可能とするデータ通信システムにおける従来の通信方法として、往復伝播遅延（ＲＴＴ：Ｒｏｕｎｄ  Ｔｒｉｐ  Ｔｉｍｅ）が短いならば、再送要求処理によるエラー訂正を選択し、ＲＴＴが長い状況である場合には、ＦＥＣによるエラー訂正を選択するといった動的なエラー訂正制御が知られている（特許文献１参照）。
【０００３】
【非特許文献１】ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．３ａｈ
【特許文献１】特開２００３−１７９５８０号公報（第１頁）
【発明の開示】
【発明が解決しようとする課題】
【０００４】
特許文献１に開示された従来の通信方法においては、ＲＴＴの長短に基づいてＦＥＣを適用するか否かを制御するだけなので、例えば非特許文献１に開示されたＰＯＮシステムにＦＥＣを適用する場合には、同一のＰＯＮシステムに接続される全てのＯＮＵについてＦＥＣ強度が一定となる。このため、接続距離の異なるＯＮＵが混在するＰＯＮシステムにおいて、最遠端のＯＮＵに合わせたＦＥＣ強度が必要となり、近端のＯＮＵにおいては不必要に長いＦＥＣ冗長コードが付加され、伝送効率が低下するという問題点があった。
【０００５】
この発明は、上述のような課題を解決するためになされたもので、通信方法において、例えばＰＯＮシステムにＦＥＣ技術を適用する場合に、ＯＬＴとＯＮＵとの接続距離に応じて、伝送効率を最適化することを目的としている。
【課題を解決するための手段】
【０００６】
この発明に係る通信方法は、加入者側通信装置と局側通信装置との間の往復伝播遅延に基づいて、前記加入者側通信装置と前記局側通信装置との間の通信データに付加される符号誤り訂正符号における冗長度を前記加入者側通信装置毎に制御する冗長度制御工程を備えるものである。
【発明の効果】
【０００７】
この発明は、通信方法において、往復伝播遅延に対応するＯＬＴとＯＮＵの接続距離に応じたＦＥＣ強度（冗長度）で通信を行うことができる。これにより、ＯＮＵの接続距離に応じて、伝送効率を最適化することができる。
【発明を実施するための最良の形態】
【０００８】
実施の形態１．
この発明の実施の形態１による通信方法は、複数の加入者側通信装置（ＯＮＵ：Ｏｐｔｉｃａｌ  Ｎｅｔｗｏｒｋ  Ｕｎｉｔ）と局側通信装置（ＯＬＴ：Ｏｐｔｉｃａｌ  Ｌｉｎｅ  Ｔｅｒｍｉｎａｌ）との間の往復伝播遅延（ＲＴＴ：Ｒｏｕｎｄ  Ｔｒｉｐ  Ｔｉｍｅ）に基づいて、通信データに付加されるＦＥＣ（Ｆｏｒｗａｒｄ  Ｅｒｒｏｒ  Ｃｏｒｒｅｃｔｉｏｎ）冗長コード（符号誤り訂正符号）における冗長度をＯＮＵ毎に制御するようにしているので、ＧＥ−ＰＯＮ（Ｇｉｇａ  ｂｉｔ  Ｅｔｈｅｒｎｅｔ（登録商標）−Ｐａｓｓｉｖｅ  Ｏｐｔｉｃａｌ  Ｎｅｔｗｏｒｋ）システムにＦＥＣ技術を適用する場合に、往復伝播遅延に対応するＯＬＴとＯＮＵの接続距離に応じたＦＥＣ強度（冗長度）で通信を行うことができるものである。
【０００９】
図１はこの発明の実施の形態１による通信方法におけるネットワークシステムを示す構成図である。図において、１は局側通信装置（ＯＬＴ：Ｏｐｔｉｃａｌ  Ｌｉｎｅ  Ｔｅｒｍｉｎａｌ）、２は加入者側通信装置（ＯＮＵ：Ｏｐｔｉｃａｌ  Ｎｅｔｗｏｒｋ  Ｕｎｉｔ）、３は光ファイバ、４は光カプラ（スターカプラ）である。ここで、複数のＯＮＵ２は、光ファイバ３と光カプラ４を介してひとつのＯＬＴ１と接続され、ＰＯＮ（Ｐａｓｓｉｖｅ  Ｏｐｔｉｃａｌ  Ｎｅｔｗｏｒｋ）システムが構成される。このようなＰＯＮシステムにおいては、接続距離の異なる複数のＯＮＵが混在する。
【００１０】
図２はこの発明の実施の形態１による通信方法における局側通信装置を示す構成図である。図において、ＯＬＴ１は、光電気変換部１０１、ビット同期部１０２、８Ｂ／１０Ｂ変換部１０３、ＦＥＣ（Ｆｏｒｗａｒｄ  Ｅｒｒｏｒ  Ｃｏｒｒｅｃｔｉｏｎ）符号化復号化部１０４、制御フレーム抽出部１０５、制御フレーム挿入部１０６、制御フレーム終端部１０７、ＰＯＮ制御部１０８、フレームバッファ１０９を備える。なお、ＦＥＣ符号化復号化部１０４とＰＯＮ制御部１０８とで冗長度制御部を構成する。
【００１１】
図３はこの発明の実施の形態１による通信方法における加入者側通信装置を示す構成図である。図において、ＯＮＵ２は、光電気変換部２０１、ビット同期部２０２、８Ｂ／１０Ｂ変換部２０３、ＦＥＣ符号化復号化部２０４、制御フレーム挿入部２０５、制御フレーム抽出部２０６、制御フレーム終端部２０７、ＰＯＮ制御部２０８、フレームバッファ２０９を備える。なお、ＦＥＣ符号化復号化部２０４とＰＯＮ制御部２０８とで冗長度制御部を構成する。
【００１２】
次に動作について説明する。
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．３ａｈに規定されているように、まず、オートディスカバリにおけるレンジングを行う。なお、オートディスカバリとは、ＰＯＮ上で電源ＯＮにより動作可能となったＯＮＵを登録するため、ＯＬＴがＯＮＵを検出するための機能である。
【００１３】
図４にオートディスカバリのシーケンスを示す。未登録ＯＮＵ２では、Ｄｉｓｃｏｖｅｒｙ  ＧＡＴＥメッセージのみを受信する。それに対する応答としてＲｅｇｉｓｔｅｒ  ＲｅｑｕｅｓｔメッセージをＯＬＴ１へ送信し、論理リンク確立を要求する。ＯＬＴ１では、論理リンクリクエストに応じて論理リンクユーザ識別番号（ＬＬＩＤ：Ｌｏｇｉｃａｌ  Ｌｉｎｋ  ＩＤｅｎｔｉｆｉｃａｔｉｏｎ  ｎｕｍｂｅｒ）を予約する。そのＬＬＩＤをＲｅｇｉｓｔｅｒメッセージに入れてＯＮＵ２へ通知する。その後、ＯＮＵ２からのＲｅｇｉｓｔｅｒ  ＡＣＫメッセージに対する上り帯域許可メッセージであるＮｏｒｍａｌ  ＧＡＴＥメッセージを送信する。ＯＮＵ２ではその指定されたＬＬＩＤを設定し、Ｎｏｒｍａｌ  ＧＡＴＥに示されているタイミングでＲｅｇｉｓｔｅｒ  ＡＣＫメッセージを送信する。ＯＬＴ１でそのメッセージを受信した時点で論理リンク確立となる。
【００１４】
一つのＰＯＮに接続される複数のＯＮＵ２は、図１に示すようにＯＬＴ１から異なる距離に位置する。ＩＥＥＥ８０２．３ａｈで規定されるＧＥ−ＰＯＮ（Ｇｉｇａｂｉｔ  Ｅｔｈｅｒｎｅｔ（登録商標）−Ｐａｓｓｉｖｅ  Ｏｐｔｉｃａｌ  Ｎｅｔｗｏｒｋ）システムでは、ＯＬＴとＯＮＵとの距離に対応する往復伝播遅延（ＲＴＴ：Ｒｏｕｎｄ  Ｔｒｉｐ  Ｔｉｍｅ）をＯＬＴとＯＮＵ間で通信する制御メッセージ(ＧＡＴＥとＲＥＰＯＲＴ)に埋め込むタイムスタンプにより計測し、上りフレームを、このＲＴＴを考慮して時分割多重制御する。
【００１５】
図５にＲＴＴ計測のシーケンスを示す。ＯＬＴ１と各ＯＮＵ２は、それぞれ３２ビットのカウンタを有する。カウンタは主信号転送速度の２バイトごとにカウントアップする。これは、１．２５Ｇｂｐｓ（Ｇｉｇａｂｉｔ  ｐｅｒ  ｓｅｃｏｎｄ）のＧＥ−ＰＯＮシステムの場合１６ｎｓに相当する。ＯＬＴ１はこのカウンタを自立的にカウントアップし、ＧＡＴＥメッセージ送信時にカウンタの値をメッセージ内のタイムスタンプ領域に設定する（Ｔ１）。一方、ＯＮＵ２はＧＡＴＥメッセージを受信するとタイムスタンプの値をカウンタに設定する（Ｔ１）。つまりＯＬＴが主、ＯＮＵが従となり、このＧＡＴＥ／ＲＥＰＯＲＴメッセージを用いた手順を周期的に実施することでＯＮＵのオシレータ精度、伝播速度揺らぎ、同期ずれ等によるＲＴＴの変動を補正する。
【００１６】
ＯＮＵ２は、ＲＥＰＯＲＴメッセージ送信時にカウンタの値をメッセージ内のタイムスタンプ領域に設定する（Ｔ４）。ＯＬＴはＲＥＰＯＲＴメッセージを受信すると、ＲＥＰＯＲＴメッセージ内のタイムスタンプ領域の値（Ｔ４）と、ＯＬＴがもつカウンタの値（Ｔ５）により、ＲＴＴを計測する（ＲＴＴ＝Ｔ５−Ｔ４）。
【００１７】
次に、制御メッセージの通信手順を説明する。
ＯＬＴ１のＰＯＮ制御部１０８より制御メッセージ（例えば、Ｄｉｓｃｏｖｅｒｙ  ＧＡＴＥメッセージ）生成を制御フレーム終端部１０７に指示する。制御フレーム終端部１０７は、制御メッセージを生成する。制御フレーム挿入部１０６にて下り主信号フレームと多重し、ＦＥＣ符号化復号化部１０４へ送信する。ＦＥＣ符号化復号化部１０４においてＦＥＣ冗長コード（符号誤り訂正符号）を付加する。ここで、ＦＥＣ冗長コードにおける冗長度（ＦＥＣ冗長度）の初期値は最大冗長度設定とする。最大ＦＥＣ冗長度であれば最遠端ＯＮＵであっても通信できる。ＦＥＣ符号化復号化部１０４でＦＥＣ冗長コードを付加されたフレームは８Ｂ／１０Ｂ変換部１０３にて１０Ｂ変換後、光電気変換部にて光信号に変換して、ＯＮＵ２へ送信する。
【００１８】
ＯＮＵ２では光電気変換部２０１にて光信号から電気信号に変換し、８Ｂ／１０Ｂ変換部２０３にて８Ｂ変換後、メッセージフレームはＦＥＣ符号化復号化部２０４に送られる。ＦＥＣ符号化復号化部２０４にてＦＥＣ復号化を行う。このときＯＮＵ２のＦＥＣ冗長度の初期値は最大冗長度設定とする。ＦＥＣ復号化されたメッセージフレームは、制御フレーム抽出部２０６にて主信号データフレームから抽出され、制御フレーム終端部２０７に送信される。制御フレーム終端部２０７ではフレームを解析し、ＰＯＮ制御部２０８へ必要な情報を通知する。
【００１９】
一方、ＯＮＵ２からの制御メッセージフレーム送信手順を以下に示す。ＯＮＵ２のＰＯＮ制御部２０８より制御メッセージ(例えば、Ｒｅｇｉｓｔｅｒ  Ｒｅｑｕｅｓｔメッセージ)生成を制御フレーム終端部２０７に指示する。制御フレーム終端部２０７は、制御メッセージを生成する。制御フレーム挿入部２０５にて下り主信号フレームと多重し、ＦＥＣ符号化復号化部２０４へ送信する。ＦＥＣ符号化復号化部２０４においてＦＥＣ冗長コードを付加する。ＦＥＣ冗長度の初期値は最大冗長度設定とする。ＦＥＣ符号化復号化部２０４でＦＥＣ冗長コードを付加されたフレームは８Ｂ／１０Ｂ変換部２０３にて１０Ｂ変換後、光電気変換部２０１にて光信号に変換して、ＯＬＴ１へ送信する。
【００２０】
ＯＬＴ１では光電気変換部１０１にて光信号から電気信号に変換し、８Ｂ／１０Ｂ変換部１０３にて８Ｂ変換後、メッセージフレームはＦＥＣ符号化復号化部１０４に送られる。ＦＥＣ符号化復号化１０４にてＦＥＣ復号化を行う。このときＯＮＵ２のＦＥＣ冗長度の初期値は最大冗長度設定とする。ＦＥＣ復号化されたメッセージフレームは、制御フレーム抽出部１０５にて主信号データフレームから抽出され、制御フレーム終端部１０７に送信される。制御フレーム終端部１０７でフレームを解析し、ＰＯＮ制御部１０８へ必要な情報を通知する。
【００２１】
次に、制御メッセージを用いたＦＥＣ冗長度制御の動作について説明する。
オートディスカバリ動作においてＤｉｓｃｏｖｅｒｙ  ＧＡＴＥメッセージとＲｅｇｉｓｔｅｒ  Ｒｅｑｕｅｓｔメッセージの送受信において、上記ＧＡＴＥとＲＥＰＯＲＴメッセージ送受信の場合のようにＲＴＴをＯＬＴ１が計測する。
【００２２】
そのＲＴＴに応じたＦＥＣ冗長度をＯＬＴ１にて選択し、Ｒｅｇｉｓｔｅｒメッセージにて該当するＯＮＵ２に通知する。ＯＬＴ１のＰＯＮ制御部１０８は論理リンク確立時に計測したそれぞれのＯＮＵ２のＲＴＴに対応するＦＥＣ冗長度をＦＥＣ符号化復号化部１０４に設定する。そして、そのＯＮＵ２に対するフレームについては、設定したＦＥＣ冗長度で運用を行う。上りフレームについては、ＧＥ−ＰＯＮシステムにおいてはＰＯＮ制御部１０８が複数のＯＮＵ２からのフレーム送信が衝突するのを回避するように帯域制御を行っており、どのＯＮＵ２からのフレームかは、どのタイミングでＯＬＴ１が受信するかにより判断可能である。受信したフレームをそのＯＮＵ２に対応するＦＥＣ冗長度で復号化する。
【００２３】
一方、ＯＮＵ２のＰＯＮ制御部２０８は、ＯＬＴ１よりＲｅｇｉｓｔｅｒメッセージにて該当するＯＮＵ２に通知されたＦＥＣ冗長度をＦＥＣ符号化復号化部２０４に設定する。送信フレームについては、その設定されたＦＥＣ冗長度で符号化し、ＯＬＴ１へＧＡＴＥメッセージ内の情報に準じて送信する。受信フレームについては、設定されたＦＥＣ冗長度で復号化を行う。
【００２４】
以上のように、この発明の実施の形態１による通信方法においては、複数のＯＮＵとＯＬＴとの間の往復伝播遅延に基づいて、通信データに付加されるＦＥＣ冗長コードにおける冗長度をＯＮＵ毎に制御するようにしているので、ＧＥ−ＰＯＮシステムにＦＥＣ技術を適用する場合に、往復伝播遅延に対応するＯＬＴとＯＮＵの接続距離に応じたＦＥＣ強度（冗長度）で通信を行うことができる。これにより、ＯＮＵの接続距離に応じて、伝送効率を最適化することができる。
【００２５】
実施の形態２．
この発明の実施の形態２による通信方法は、複数の加入者側通信装置（ＯＮＵ：Ｏｐｔｉｃａｌ  Ｎｅｔｗｏｒｋ  Ｕｎｉｔ）と局側通信装置（ＯＬＴ：Ｏｐｔｉｃａｌ  Ｌｉｎｅ  Ｔｅｒｍｉｎａｌ）との間の往復伝播遅延に基づいて、接続距離に応じてＦＥＣ（Ｆｏｒｗａｒｄ  Ｅｒｒｏｒ  Ｃｏｒｒｅｃｔｉｏｎ）冗長度を制御するとともに、その冗長度に応じて通信速度をＯＮＵ毎に制御することにより、ＧＥ−ＰＯＮ（Ｇｉｇａ  ｂｉｔ  Ｅｔｈｅｒｎｅｔ（登録商標）−Ｐａｓｓｉｖｅ  Ｏｐｔｉｃａｌ  Ｎｅｔｗｏｒｋ）システムにＦＥＣ技術を適用する場合に、ＯＮＵの接続距離に関係なく、伝送効率を一定に最適化することができるものである。
【００２６】
図６はこの発明の実施の形態２による通信方法における局側通信装置を示す構成図である。図において、ＯＬＴ１は、光電気変換部１０１、ビット同期部１０２、８Ｂ／１０Ｂ変換部１０３、ＦＥＣ符号化復号化部１０４、制御フレーム抽出部１０５、制御フレーム挿入部１０６、制御フレーム終端部１０７、ＰＯＮ制御部１０８、フレームバッファ１０９、通信速度制御部としての速度調整部１１０を備える。なお、ＦＥＣ符号化復号化部１０４とＰＯＮ制御部１０８とで冗長度制御部を構成する。
【００２７】
図７はこの発明の実施の形態２による通信方法における加入者側通信装置を示す構成図である。図において、ＯＮＵ４は、光電気変換部２０１、ビット同期部２０２、８Ｂ／１０Ｂ変換部２０３、ＦＥＣ符号化復号化部２０４、制御フレーム挿入部２０５、制御フレーム抽出部２０６、制御フレーム終端部２０７、ＰＯＮ制御部２０８、フレームバッファ２０９、通信速度制御部としての速度調整部２１０を備える。なお、ＦＥＣ符号化復号化部２０４とＰＯＮ制御部２０８とで冗長度制御部を構成する。
【００２８】
次に動作について説明する。
上記の実施の形態１と同様に、オートディスカバリ動作においてＤｉｓｃｏｖｅｒｙ  ＧＡＴＥメッセージとＲｅｇｉｓｔｅｒ  Ｒｅｑｕｅｓｔメッセージの送受信において、ＧＡＴＥとＲＥＰＯＲＴメッセージ送受信の場合のようにＲＴＴをＯＬＴ１が計測する。そして、そのＲＴＴに応じたＦＥＣ冗長度を選択する。さらに、そのＲＴＴに応じた受信／送信回路動作周波数（通信速度）を選択する。例えばＲＴＴの値が大きければ(遠距離接続ＯＮＵの場合)、冗長度を上げなくてはならないので、ＦＥＣ冗長コードが長くなりユーザデータ領域が小さくなり伝送効率が下がるため、受信／送信回路動作周波数（通信速度）を高く設定するようにする。
【００２９】
そのＲＴＴに応じたＦＥＣ冗長度をＯＬＴ１にて選択し、Ｒｅｇｉｓｔｅｒメッセージにて該当するＯＮＵ２に通知する。ＯＬＴ１のＰＯＮ制御部１０８は論理リンク確立時に計測したそれぞれのＯＮＵ２のＲＴＴに対応するＦＥＣ冗長度をＦＥＣ符号化復号化部１０４に、また、それぞれのＯＮＵ２のＲＴＴに対応する回路動作周波数（通信速度）をビット同期部１０１、８Ｂ／１０Ｂ変換部１０３、ＦＥＣ符号化復号化部１０４、速度調整部１１０に設定する。そして、そのＯＮＵ２に対する送信フレームについては、設定したＦＥＣ冗長度と通信速度で送信を行う。上りフレームについてはＧＥ−ＰＯＮシステムにおいてはＯＬＴ１が複数のＯＮＵ２からのフレーム送信が衝突するのを回避するように帯域制御を行っており、どのＯＮＵ２からのフレームかどうかは、どのタイミングでＯＬＴ１が受信するかにより判断可能である。受信したフレームをそのＯＮＵ２に対応する回路動作周波数（通信速度）でビット同期部１０１、８Ｂ／１０Ｂ変換部１０３、ＦＥＣ符号化復号化部１０４、速度調整部１１０を動作させてフレームを受信し、そのＯＮＵ２に対応するＦＥＣ冗長度で復号化する。
【００３０】
一方、ＯＮＵ２は、ＯＬＴ１よりＲｅｇｉｓｔｅｒメッセージにて該当するＯＮＵ２に通知されたＦＥＣ冗長度をＦＥＣ符号化復号化部２０４に、また、そのＯＮＵ２のＲＴＴに対応する回路動作周波数（通信速度）をビット同期部２０１、８Ｂ／１０Ｂ変換部２０３、ＦＥＣ符号化復号化部２０４、速度調整部２１０に設定する。送信フレームについては、その設定されたＦＥＣ冗長度と通信速度で、ＯＬＴ１へＧＡＴＥメッセージ内の情報に準じて送信する。受信フレームについては、設定された回路動作周波数（通信速度）でビット同期部２０１、８Ｂ／１０Ｂ変換部２０３、ＦＥＣ符号化復号化部２０４、速度調整部２１０を動作させてフレームを受信し、設定されたＦＥＣ冗長度で復号化を行う。
【００３１】
以上のように、この発明の実施の形態２による通信方法においては、複数のＯＮＵとＯＬＴとの間の往復伝播遅延に基づいて、接続距離に応じてＦＥＣ冗長度を制御するとともに、その冗長度に応じて通信速度をＯＮＵ毎に制御するようにしているので、ＧＥ−ＰＯＮシステムにＦＥＣ技術を適用する場合に、ＯＮＵの接続距離に関係なく、伝送効率を一定に最適化することができる。
【００３２】
なお、上述のように、この発明の実施の形態１、２では、Ｅｔｈｅｒｎｅｔ（登録商標）のフレームを用いる場合を示したが、フレーム形式がこれに限られるものでなく、パケット通信に対応したものであれば良い。
【００３３】
また、この発明の実施の形態１、２では、ＰＯＮシステムに適用する場合を示したが、適用システムがこれに限られるものでないことは言うまでもなく、複数の通信装置間で通信が行われるものであれば、光や電気の有線通信や、無線通信等どのようなシステムにも適用可能である。
【図面の簡単な説明】
【００３４】
【図１】この発明の実施の形態１による通信方法におけるネットワークシステムを示す構成図
【図２】この発明の実施の形態１による通信方法における局側通信装置を示す構成図
【図３】この発明の実施の形態１による通信方法における加入者側通信装置を示す構成図
【図４】この発明の実施の形態１による通信方法を説明するための説明図
【図５】この発明の実施の形態１による通信方法を説明するための説明図
【図６】この発明の実施の形態２による通信方法における局側通信装置を示す構成図
【図７】この発明の実施の形態２による通信方法における加入者側通信装置を示す構成図
【符号の説明】
【００３５】
１  局側通信装置
２  加入者側通信装置
１０４、２０４  ＦＥＣ符号化復号化部
１０８、２０８  ＰＯＮ制御部
１１０、２１０  速度調整部
【図１】
2006014228.tif 000003
【図２】
2006014228.tif 000004
【図３】
2006014228.tif 000005
【図４】
2006014228.tif 000006
【図５】
2006014228.tif 000007
【図６】
2006014228.tif 000008
【図７】
2006014228.tif 000009